(57)【要約】【課題】袋本体の内圧が高くなってもその内圧によって内容物側から開き難い嵌合具、及び該嵌合具を備えた嵌合具付き袋体を提供する。【解決手段】一対の帯状の第１の嵌合部材１２及び第２の嵌合部材１４を有し、第１の嵌合部材１２が、帯状の第１の基材１６と、第１の基材１６に長手方向に沿って設けられた雄側嵌合部１８と、を有し、第２の嵌合部材１４が、帯状の第２の基材２０と、第２の基材２０に長手方向に沿って設けられ、雄側嵌合部１８と着脱自在に嵌合する雌側嵌合部２２と、を有し、第２の基材２０における内容物側に配置される第２の側縁２０ｃと雌側嵌合部２２の間に軟質部２４が長手方向に沿うように形成されている、嵌合具１０。また、嵌合具１０を具備する嵌合具付き袋体。【選択図】図１
2016073329.tif 000002
【特許請求の範囲】
【請求項１】
一対の帯状の第１の嵌合部材及び第２の嵌合部材を有し、
前記第１の嵌合部材が、帯状の第１の基材と、前記第１の基材に長手方向に沿って設けられた突条の雄側嵌合部と、を有し、
前記第２の嵌合部材が、帯状の第２の基材と、前記第２の基材に長手方向に沿って設けられ、前記雄側嵌合部と着脱自在に嵌合する雌側嵌合部と、を有し、
内容物を収容する袋本体の内面に、該袋本体に形成される開口部に沿うように、かつ前記第１の基材の第１の側縁及び前記第２の基材の第１の側縁が前記開口部側となるように取り付けられる嵌合具であって、
前記第２の基材における前記袋本体の内容物側に配置される第２の側縁と前記雌側嵌合部との間に、長手方向に沿って直線状に軟質部が形成されていることを特徴とする嵌合具。
【請求項２】
内容物を収容する袋本体と、前記袋本体の内面に取り付けられた請求項１に記載の嵌合具と、を具備し、
前記嵌合具が、前記第１の基材の第１の側縁と前記第２の基材の第１の側縁が前記袋本体に形成される開口部側になるように取り付けられている、嵌合具付き袋体。
【発明の詳細な説明】
【技術分野】
【０００１】
本発明は、嵌合具及び嵌合具付き袋体に関する。
【背景技術】
【０００２】
食品、薬品、雑貨等を収容する袋体としては、内容物を収容する袋本体と、該袋本体の開口部近傍の内面に、該開口部を開閉自在に封じるように取り付けられた嵌合具と、を具備する嵌合具付き袋体が広く用いられている。
嵌合具としては、例えば、帯状の基材及び該基材の長手方向に沿って設けられた雄型嵌合部とを有する第１の嵌合部材と、帯状の基材及び該基材の長手方向に沿って設けられた雌型嵌合部とを有する第２の嵌合部材と、を有する嵌合具が挙げられる（例えば、特許文献１）。該嵌合具においては、雄型嵌合部と雌型嵌合部とが着脱自在に嵌合できるようになっている。袋本体の開口部近傍において向かい合う一方の内面に第１の嵌合部材の基材を取り付け、他方の内面に第２の嵌合部材の基材を取り付けて、雄型嵌合部と雌型嵌合部とを着脱させることで、袋本体の開口部の開閉が繰り返し行える。
【０００３】
しかし、このような嵌合具が取り付けられた嵌合具付き袋体においては、例えば袋本体内に多くの内容物を収容することによって袋本体の内圧が非常に高い場合、嵌合させていた雄型嵌合部と雌型嵌合部がその内圧によって脱離して開口部が開くことがある。
【０００４】
図８に例示した嵌合具付き袋体１０１を例にしてより具体的に説明する。
袋体１０１は、フィルム材１３２、１３４が合わされて袋状にされた、内容物を収容する袋本体１３０と、袋本体１３０の開口部１３６近傍の内面に取り付けられた嵌合具１１０とを有する。
嵌合具１１０は、一対の帯状の第１の嵌合部材１１２及び第２の嵌合部材１１４を有する。第１の嵌合部材１１２は、帯状の第１の基材１１６及び該第１の基材１１６に長手方向に沿って設けられた雄側嵌合部１１８を有する。第２の嵌合部材１１４は、帯状の第２の基材１２０及び該第２の基材１２０に長手方向に沿って設けられた雌側嵌合部１２２を有する。雄側嵌合部１１８は、第１の基材１１６から立ち上がる幹部１１８ａと、幹部１１８ａの先端部に形成された幹部１１８ａよりも大きい頭部１１８ｂからなる。雌側嵌合部１２２は、第２の基材１２０から円弧状に立ち上がる第１のアーム部１２２ａ及び第２のアーム部１２２ｂを有し、それら第１のアーム部１２２ａ及び第２のアーム部１２２ｂにより凹部１２２ｃが形成されている。
嵌合具１１０は、第１の嵌合部材１１２が袋本体１３０のフィルム材１３２の内面、第２の嵌合部材１１４が袋本体１３０のフィルム材１３４の内面に取り付けられている。袋体１０１においては、嵌合具１１０の雄側嵌合部１１８と雌側嵌合部１２２を着脱させることにより、開口部１３６を繰り返し開閉できるようになっている。
【０００５】
袋体１０１において、袋本体１３０内に多くの内容物を収容する等して内圧が高くなると、図９に示すように、内容物側のフィルム材１３２とフィルム材１３４が広がり、それに伴って嵌合具１１０の第１の基材１１６及び第２の基材１２０の内容物側が広がる。このとき、雌側嵌合部１２２の第２のアーム部１２２ｂが第２の基材１２０の広がりに追随して内容物側に向かって開き、第１のアーム部１２２ａと第２のアーム部１２２ｂの先端部同士の間隔が広がる。これにより、雄側嵌合部１１８の頭部１１８ｂが雌側嵌合部１２２から離脱しやすくなって、袋体１０１の開口部１３６が開いてしまうことがある。
【先行技術文献】
【特許文献】
【０００６】
【特許文献１】特開２００３−１６０１４７号公報
【発明の概要】
【発明が解決しようとする課題】
【０００７】
本発明は、袋本体の内圧が高くなってもその内圧によって内容物側から開き難い嵌合具、及び該嵌合具を備えた嵌合具付き袋体を提供する。
【課題を解決するための手段】
【０００８】
本発明の嵌合具は、一対の帯状の第１の嵌合部材及び第２の嵌合部材を有し、前記第１の嵌合部材が、帯状の第１の基材と、前記第１の基材に長手方向に沿って設けられた突条の雄側嵌合部と、を有し、前記第２の嵌合部材が、帯状の第２の基材と、前記第２の基材に長手方向に沿って設けられ、前記雄側嵌合部と着脱自在に嵌合する雌側嵌合部と、を有し、内容物を収容する袋本体の内面に、該袋本体に形成される開口部に沿うように、かつ前記第１の基材の第１の側縁及び前記第２の基材の第１の側縁が前記開口部側となるように取り付けられる嵌合具であって、前記第２の基材における前記袋本体の内容物側に配置される第２の側縁と前記雌側嵌合部との間に、長手方向に沿って直線状に軟質部が形成されていることを特徴とする。
【０００９】
本発明の嵌合具付き袋体は、内容物を収容する袋本体と、前記袋本体の内面に取り付けられた本発明の嵌合具と、を具備し、前記嵌合具が、前記第１の基材の第１の側縁と前記第２の基材の第１の側縁が前記袋本体に形成される開口部側になるように取り付けられている。
【発明の効果】
【００１０】
本発明の嵌合具を用いれば、袋本体の内圧が高くなってもその内圧によって内容物側から開き難い。
本発明の嵌合具付き袋体は、袋本体の内圧が高くなってもその内圧によって内容物側から開き難い。
【図面の簡単な説明】
【００１１】
【図１】本発明の嵌合具の一例を示した斜視図である。
【図２】図１の嵌合具を長手方向に垂直な方向に切断した断面図である。
【図３】図２の嵌合具における雄側嵌合部及び雌側嵌合部の近傍を拡大した拡大断面図である。
【図４】本発明の嵌合具付き袋体の一例を示した正面図である。
【図５】図４の嵌合具付き袋体のＡ−Ａ断面図である。
【図６】図４の嵌合具付き袋体を開封した様子を示す斜視図である。
【図７】図６の嵌合具付き袋体の開口部を嵌合具によって閉じた様子を示した断面図である。
【図８】従来の嵌合具付き袋体の一例を示した断面図である。
【図９】図８の嵌合具付き袋体の内容物側が広がった様子を示した断面図である。
【発明を実施するための形態】
【００１２】
＜嵌合具＞
本発明の嵌合具は、内容物を収容する袋本体の内面に、該袋本体に形成される開口部に沿うように取り付けられる嵌合具である。以下、本発明の嵌合具の一例を示して詳細に説明する。
【００１３】
本実施形態例の嵌合具１０は、図１及び図２に示すように、一対の帯状の第１の嵌合部材１２と第２の嵌合部材１４とを有する。
第１の嵌合部材１２は、帯状の第１の基材１６と、第１の基材１６の対向面１６ａに長手方向に沿って設けられた突条の雄側嵌合部１８とを有する。第２の嵌合部材１４は、帯状の第２の基材２０と、第２の基材２０の対向面２０ａに長手方向に沿って設けられ、雄側嵌合部１８と着脱自在に嵌合する雌側嵌合部２２とを有する。
嵌合具１０は、袋本体に取り付けられる際、第１の基材１６の第１の側縁１６ｂ及び第２の基材２０の第１の側縁２０ｂが袋本体に形成される開口部側、第１の基材１６の第２の側縁１６ｃ及び第２の基材２０の第２の側縁２０ｃが袋本体の内容物側となるように取り付けられる。
【００１４】
雄側嵌合部１８は、第１の基材１６の対向面１６ａに、第１の基材１６の長手方向に沿って設けられている。雄側嵌合部１８は、図２及び図３に示すように、第１の基材１６の対向面１６ａから立ち上がる幹部１８ａと、幹部１８ａの先端部に設けられ、幹部１８ａよりも大きい断面略半円形状の頭部１８ｂを有する。
雌側嵌合部２２は、第２の基材２０の対向面２０ａに、第２の基材２０の長手方向に沿って設けられている。第２の基材２０は、図２及び図３に示すように、第２の基材２０の対向面２０ａから断面円弧状に立ち上がる第１のアーム部２２ａと第２のアーム部２２ｂからなり、第１のアーム部２２ａと第２のアーム部２２ｂによって凹部２２ｃが形成されている。
雄側嵌合部１８と雌側嵌合部２２は、雄側嵌合部１８の頭部１８ｂを雌側嵌合部２２の凹部２２ｃに嵌め込むことで、着脱自在に嵌合できるようになっている。
【００１５】
雄側嵌合部１８及び雌側嵌合部２２の断面形状は、雄側嵌合部１８と雌側嵌合部２２を互いに着脱することで、袋本体の開口部の開閉が繰り返し行えるものであればよく、公知の断面形状を採用できる。
【００１６】
第２の基材２０には、袋本体の内容物側に配置される第２の側縁２０ｃと雌側嵌合部２２との間に、長手方向に沿って直線状に軟質部２４が形成されている。
軟質部２４は、第２の基材２０における軟質部２４以外の部分よりも軟質になっている部分である。
【００１７】
第２の基材２０に長手方向に沿って直線状の軟質部２４が形成されていることで、第２の基材２０は軟質部２４の部分で屈曲しやすくなっている。そのため、雄側嵌合部１８と雌側嵌合部２２とを嵌合した状態で第２の基材２０における第２の側縁２０ｃ側が広がっても、第２の基材２０が軟質部２４の部分で屈曲し、第２の基材２０における軟質部２４よりも第１の側縁２０ｂ側の形状が保たれやすい。
これにより、第２の基材２０の第１の側縁２０ｂが袋本体の開口部側となるように嵌合具１０を取り付けた袋体においては、袋本体の内圧が高くなって該袋本体が広がった場合でも、第２の基材２０は軟質部２４の部分で屈曲し、第２の基材２０における軟質部２４よりも第１の側縁２０ｂ側の形状が維持されやすい。その結果、雌側嵌合部２２における第２の基材２０の第２の側縁２０ｃ側に位置する第２のアーム部２２ｂが、第２の基材２０における第２の側縁２０ｃ側が広がる動きに追従することが抑制され、雄側嵌合部１８と雌側嵌合部２２の嵌合状態が維持されやすくなる。
【００１８】
軟質部２４は、この例では、第２の基材２０の長手方向に沿って直線状に連続的に形成されている。なお、軟質部２４は、連続的に形成される態様には限定されず、例えば、破線状に断続的に形成されていてもよい。
軟質部２４の態様としては、軟質部２４の形成が容易で、また雌側嵌合部２２の第２のアーム部２２ｂが開き難く、雄側嵌合部１８と雌側嵌合部２２の嵌合状態が維持されやすい点から、第１の基材１６の長手方向の全長にわたって直線状に連続的に形成されていることが好ましい。
【００１９】
軟質部２４と雌側嵌合部２２との距離ｄ１（図３）は、０．１〜５．０ｍｍが好ましく、０．５〜２．０ｍｍがより好ましい。軟質部２４の距離ｄ１が下限値未満であると、成形しづらくなる。軟質部２４の距離ｄ１が上限値を超えると、内圧が高くなった際、軟質部で屈曲しづらくなる。
なお、軟質部２４と雌側嵌合部２２との距離ｄ１とは、軟質部２４における雌側嵌合部２２側の縁と、雌側嵌合部２２の中心軸Ｌとの距離を意味する。
【００２０】
軟質部２４の幅ｄ２（図３）は、０．１〜５．０ｍｍが好ましく、０．５〜２．０ｍｍがより好ましい。軟質部２４の幅ｄ２が下限値以上であれば、袋本体の内圧が高まっても雌側嵌合部２２の第２のアーム部２２ｂが開くことを抑制しやすく、雄側嵌合部１８と雌側嵌合部２２の嵌合がより維持されやすい。
【００２１】
軟質部２４の曲げ弾性率は、第２の基材２０における軟質部２４以外の曲げ弾性率よりも小さくなっており、１５０ＭＰａ以下が好ましく、１２０ＭＰａ以下がより好ましく、１００ＭＰａ以下が特に好ましい。軟質部２４の曲げ弾性率が上限値以下であれば、袋本体の内圧が高まっても雌側嵌合部２２の第２のアーム部２２ｂが開くことを抑制しやすく、雄側嵌合部１８と雌側嵌合部２２の嵌合がより維持されやすい。
また、軟質部２４の曲げ弾性率は、１ＭＰａ以上が好ましく、５ＭＰａ以上がより好ましく、１０ＭＰａ以上が特に好ましい。軟質部２４の曲げ弾性率が下限値以上であれば、第２の嵌合部材１４の成形が容易になる。
なお、軟質部２４の曲げ弾性率は、軟質部２４を形成する材料を用いて、ＪＩＳ  Ｋ７１７１に規定される方法で測定される値を意味する。
【００２２】
第１の基材１６は、特に限定されず、公知の嵌合具の基材に使用されるものが使用でき、積層フィルムであることが好ましい。積層フィルムとしては、例えば、対向面１６ａ側から、耐熱層とヒートシール層が積層されたフィルムが挙げられる。また、前記耐熱層とヒートシール層の間にはバリア層が形成されていてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００２３】
第１の基材１６は、１種の樹脂からなっていてもよく、２種以上の樹脂を含む樹脂組成物からなっていてもよい。
また、第１の基材１６は、積層フィルムには限定されず、単層フィルムであってもよい。
また、第１の基材１６には、必要に応じて安定剤、酸化防止剤、滑剤、帯電防止剤、着色剤等の公知の添加剤が添加されていてもよい。
【００２４】
第２の基材２０における軟質部２４以外の部分は、特に限定されず、例えば、第１の基材１６で挙げたものと同じものが挙げられ、好ましい態様も同じである。第２の基材２０における軟質部２４以外の部分は、１種の樹脂からなっていてもよく、２種以上の樹脂を含む樹脂組成物からなっていてもよい。
また、第２の基材２０における軟質部２４以外の部分は、積層フィルムには限定されず、単層フィルムであってもよい。
【００２５】
軟質部２４の材質としては、軟質部２４が第２の基材２０における軟質部２４以外の部分よりも軟質になるものであればよく、前記した曲げ弾性率の好ましい範囲を満たすものがより好ましい。軟質部２４は、１種の樹脂からなっていてもよく、２種以上の樹脂を含む樹脂組成物からなっていてもよい。
第２の基材２０の態様としては、例えば、軟質部２４を超低密度ポリエチレン、エラストマー樹脂等により形成し、第２の基材２０における軟質部２４以外の部分をポリエチレン、ポリプロピレン等により形成する態様等が挙げられる。
また、第２の基材２０には、必要に応じて安定剤、酸化防止剤、滑剤、帯電防止剤、着色剤等の公知の添加剤が添加されていてもよい。
【００２６】
雄側嵌合部１８及び雌側嵌合部２２の材質としては、公知のものが使用でき、例えば、第１の基材１６における軟質部２４以外の部分と同じ材質等が使用できる。
【００２７】
（製造方法）
本発明の嵌合具１０の製造方法としては、特に限定されない。第１の嵌合部材１２の製造方法としては、例えば、押出成形等が挙げられる。第２の嵌合部材１４の製造方法としては、例えば、軟質部２４を形成する材料と、それ以外の部分を形成する材料とを組み合わせた二色押出成形等が挙げられる。
【００２８】
（作用効果）
以上説明した嵌合具１０においては、第２の基材２０における第２の側縁２０ｃと雌側嵌合部２２との間に長手方向に沿って軟質部２４が形成されている。そのため、雄側嵌合部１８と雌側嵌合部２２を嵌合した状態で第２の基材の第２の側縁２０ｃ側が開いても、第２の基材２０は軟質部２４の部分で屈曲する。これにより、雌側嵌合部２２の第２のアーム部２２ｂは、第２の基材の第２の側縁２０ｃ側が開いてもその動きに追従し難い。そのため、第２の基材の第２の側縁２０ｃ側の動きによって雌側嵌合部２２の第２のアーム部２２ｂが開き難く、第１のアーム部２２ａと第２のアーム部２２ｂの先端部同士の間隔が広がり難く、雄側嵌合部１８と雌側嵌合部２２の嵌合状態が維持されやすい。
したがって、第２の基材２０の第２の側縁２０ｃ側を内容物側として嵌合具１０を袋本体に取り付けた袋体では、袋本体内の内圧が高まってもその内圧によって雄側嵌合部１８が雌側嵌合部２２から脱離して開口部が開くことを抑制できる。
【００２９】
なお、本発明の嵌合具は、前記した嵌合具１０には限定されない。
例えば、第１の基材における第２の側縁と雄側嵌合物の間にも、長手方向に沿って直線状に軟質部が形成された嵌合具であってもよい。該嵌合具においては、第１の基材の第２の側縁側が開いても、第１の基材における軟質部よりも第１の側縁側の形状が維持されやすくなり、その結果、雄側嵌合部が第１の基材の第２の側縁に向かって倒れ難くなる。そのため、袋本体の内圧が高まった際に雄側嵌合部が雌側嵌合部から脱離して開口部が開くことをより抑制しやすくなる。第１の基材における軟質部の好ましい態様は、第２の基材における軟質部の好ましい態様と同様である。
【００３０】
また、第２の基材における第２の側縁と雌側嵌合部との間に長手方向に沿って形成される軟質部の数は、１つには限定されず、２つ以上であってもよい。例えば、第２の基材における第２の側縁と雌側嵌合部との間に、２つの軟質部が長手方向に沿って直線状に平行して形成されている嵌合具であってもよい。第１の基材に軟質部を形成する場合も同様である。
【００３１】
＜嵌合具付き袋体＞
以下、本発明の嵌合具付き袋体の一例として、前述した嵌合具１０を備えた嵌合具付き袋体１（以下、「袋体１」という。）について説明する。
本実施形態の袋体１は、図４に示すように、内容物を収容する密封された状態の袋本体３０と、袋本体３０内の上部の内面に、横方向に沿って取り付けられた嵌合具１０とを具備している。
【００３２】
袋本体３０は、第１のフィルム材３２と第２のフィルム材３４が重ね合わされ、それらの周縁部３６が全てヒートシールされることで形成されており、密封された状態になっている。また、袋本体３０における嵌合具１０よりも上部側には、横方向に沿って切断補助線３８が設けられており、その端部にノッチ４０が形成されている。
【００３３】
嵌合具１０は、図５に示すように、嵌合具１０の第１の基材１６の外側面１６ｄが袋本体３０の第１のフィルム材３２に溶着され、嵌合具１０の第２の基材２０の外側面２０ｄが袋本体３０の第２のフィルム材３４に溶着されている。また、嵌合具１０は、第１の基材１６の第１の側縁１６ｂ及び第２の基材２０の第１の側縁２０ｂが開口部側、第１の基材１６の第２の側縁１６ｃ及び第２の基材２０の第２の側縁２０ｃが内容物側となるように取り付けられている。
【００３４】
袋本体３０の形状は、本実施形態では矩形である。ただし、袋本体３０の形状は矩形には限定されない。また、袋本体３０の大きさも特に限定されず、袋本体３０に収容する内容物によって適宜選定すればよい。
【００３５】
袋本体３０を形成する第１のフィルム材３２と第２のフィルム材３４は、ヒートシールにより嵌合具１０を溶着できるものであればよく、内面側からシーラント層と基材層を少なくとも有する積層フィルムが好ましい。
基材層の材質としては、二軸延伸ナイロン、二軸延伸ポリプロピレン等が挙げられる。
シーラント層の材質としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材３２と第２のフィルム材３４は、シーラント層のみからなる単層フィルムであってもよい。
【００３６】
切断補助線３８は、袋本体３０における嵌合具１０よりも上部を切断して開封するのを補助する線である。切断補助線３８としては、例えば、袋本体３０の第１のフィルム材３２及び第２のフィルム材３４における切断補助線３８の部分をそれ以外の部分に比べて薄肉化した弱化線、ミシン目からなる弱化線、列状に形成された細孔からなる弱化線が挙げられる。また、切断補助線３８は、前記弱化線には限定されず、ハサミやカッター等で切断する位置を示す、印刷等で形成した線であってもよい。
切断補助線３８は、本実施形態では袋本体３０の横方向に沿って形成されているが、この形態には限定されず、袋本体３０の幅方向に対して傾斜して設けられていてもよい。
【００３７】
ノッチ４０の形状は、この例では三角形状であるが、特に限定されず、半円形状、直線状等であってもよい。
袋体１は、嵌合具１０を用いる以外は公知の方法で製造できる。
【００３８】
（作用効果）
袋体１は、ノッチ４０から切断補助線３８に沿って袋本体３０の上部を切断して除去することで、図６に示すように、上部に開口部４２を形成して開封することができる。袋体１に形成した開口部４２は、嵌合具１０の雄側嵌合部１８と雌側嵌合部２２を着脱することで繰り返し開閉できる。
袋体１においては、嵌合具１０を用いているため、図７に示すように、第２の基材２０が軟質部２４の部分で折れ曲がりやすい。これにより、雄側嵌合部１８と雌側嵌合部２２とを嵌合した状態で、袋本体３０の内圧が高まって第１のフィルム材３２及び第２のフィルム材３４が広がっても、第２の基材２０は軟質部２４の部分で屈曲する。そのため、袋本体３０の内圧が高まっても雌側嵌合部２２の第２のアーム部２２ｂが第２のフィルム材３４の動きに追従し難く、内容物側に向かって倒れ難い。このように、袋本体３０の内圧が高まっても雌側嵌合部２２の第１のアーム部２２ａと第２のアーム部２２ｂとの距離が広がり難く、雄側嵌合部１８と雌側嵌合部２２の嵌合状態が維持されやすいため、開口部４２を閉じる嵌合具１０が内容物側から開くことが抑制される。
【００３９】
なお、本発明の嵌合具付き袋体は、前述した袋体１には限定されない。
例えば、本発明の嵌合具付き袋体は、前記したような嵌合具１０以外の本発明の嵌合具を具備する嵌合具付き袋体であってもよい。
また、嵌合具付き袋体の袋本体は特に限定されず、嵌合具付き袋体の袋本体として知られる様々な形態の袋本体を採用できる。例えば、袋体１は切断補助線３８を利用して開封するまでは密封状態の袋体であるが、予め開口部が形成された袋本体を有する嵌合具付き袋体であってもよい。
【符号の説明】
【００４０】
１  嵌合具付き袋体
１０  嵌合具
１２  第１の嵌合部材
１４  第２の嵌合部材
１６  第１の基材
１６ｂ  第１の側縁
１６ｃ  第２の側縁
１８  雄側嵌合部
２０  第２の基材
２０ｂ  第１の側縁
２０ｃ  第２の側縁
２２  雌側嵌合部
２４  軟質部
３０  袋本体
４２  開口部
【図１】
2016073329.tif 000003
【図２】
2016073329.tif 000004
【図３】
2016073329.tif 000005
【図４】
2016073329.tif 000006
【図５】
2016073329.tif 000007
【図６】
2016073329.tif 000008
【図７】
2016073329.tif 000009
【図８】
2016073329.tif 000010
【図９】
2016073329.tif 000011